(57)【要約】【課題】簡素な構成で太陽光が斜めに照射された場合等における採光効率の低下を抑制した採光装置を提供する。【解決手段】本発明の採光装置１は、光を反射集光させる一次反射体３と、一次反射体３の反射光を反射集光させる二次反射体４と、二次反射体４の反射光を取り込む入光部７を一体に有した導光体６とを備え、二次反射体４を一次反射体３に対向配置し、入光部７を一次反射体３から二次反射体４に向けて突出して設けたものである。これによって、本発明の採光装置１は、簡素な構成で太陽光５０が斜めに照射された場合等における採光効率の低下を抑制することができる。【選択図】図１
2013258058.tif 000002
【特許請求の範囲】
【請求項１】
光を反射集光させる一次反射体と、この一次反射体で反射した前記光を反射集光させる二次反射体と、この二次反射体で反射した前記光を取り込む入光部を一体に有した導光体とを備え、
前記二次反射体を前記一次反射体に対向配置し、
前記入光部を前記一次反射体から前記二次反射体に向けて突出して設けたものであることを特徴とする採光装置。
【請求項２】
前記入光部が、前記二次反射体側に向かう程細くなる勾配を有して、この勾配に沿って傾斜した側面を、前記光を取り込む入光面としたものであることを特徴とする請求項１に記載の採光装置。
【請求項３】
前記入光部の突出先端に、前記二次反射体を前記二次反射体の反射面側で支持する支持部を設けたものであることを特徴とする請求項１又は２に記載の採光装置。
【請求項４】
前記一次反射体及び二次反射体を環状に形成し、
前記導光体を、前記光の照射方向に板面を交差させて配置される導光板で形成し、
前記導光板が、環状で前記入光部となる立上り部を外周に沿って有し、
前記導光板を板厚方向に複数重ねて配置し、
この重ねた状態で隣り合う前記導光板が、互いの前記立上り部の間に隙間を有し、この隙間に前記一次反射体を配置したものであることを特徴とする請求項１乃至３のいずれか一項に記載の採光装置。
【発明の詳細な説明】
【技術分野】
【０００１】
本発明は、採光装置に関するものである。
【背景技術】
【０００２】
従来から、非電気式の照明システムとして、太陽光を用いたものがある。このものでは、採光装置で太陽光を取り込み、採光装置で取り込んだ光を照明装置に供給し、この光を照明装置が照明光として室内等に放出するものになっている。
【０００３】
そして、従来から、採光装置として、自然光を取り込む採光口を一端に有した光ダクトを用いた、所謂光ダクト式の採光装置がある（特許文献１等参照）。この採光装置では、凹面ミラー（一次反射体）と凸面ミラー（二次反射体）とで構成された集光手段を備えており、凹面ミラーの中央に穿設した透孔に、光ダクトの開口部（採光口）が接続してある。この採光装置は、太陽光を、凹面ミラーで凸面ミラーに向けて集光した後、凸面ミラーで透孔に向けて集光して、この透光から光ダクトに導入している。これによって、この採光装置では、凹面ミラーの平面積に比べて、小さい開口面積の光ダクトを用いることができる。
【０００４】
ところで、この採光装置では、太陽光が凹面ミラーに所定の一方向から照射される場合に、凹面ミラーの焦点が透孔と略重なる位置となるように設定してある。そのため、この採光装置では、太陽を追尾する太陽追尾型平面ミラー装置をさらに備えており、この平面ミラー装置で、常に太陽光が前記一方向から凹面ミラーに照射されるように太陽を追尾している。
【先行技術文献】
【特許文献】
【０００５】
【特許文献１】実開昭６２−３７８１２号公報
【発明の概要】
【発明が解決しようとする課題】
【０００６】
そして、太陽追尾型平面ミラー装置等の追尾装置は、平面ミラーに加えて、この平面ミラーを太陽に追尾させるためのモータ等の駆動部を有する。そのため、採光装置を屋根等に設置する場合、凹面ミラー等の一次反射体及び凸面ミラー等の二次反射体等の集光手段の設置スペースに加えて、追尾装置等の設置スペースも必要となる。そして、この追尾装置等にあっては、集光手段に比べて大重量の駆動部を有するため、設置位置に制限が生じたり、設置位置の許容重量を超えたりして、良好な採光効率を得難くなることがある。また、採光装置は、追尾装置等を備えることで、コストも増加する。このように、採光装置にあっては、追尾装置等を備えずに、良好な採光効率を得られるものが望まれる。
【０００７】
しかしながら、一次反射体及び二次反射体を備えた採光装置では、追尾装置等を備えない場合や、追尾装置等の設置位置が制限された場合等に、太陽光が前記一方向から傾いた向きで一次反射体に対して照射されることがある。具体的には、例えば、図１２（ａ）に示すように、太陽光５０が一方向Ｂから照射された場合、一次反射体７０で反射集光して二次反射体７１で反射集光した太陽光５０は、焦点が採光口７２上に位置するため、採光口７２に入射する。これによって、太陽光５０は採光口７２から光ダクト７３に採光される。そして、図１２（ｂ）に示すように、一方向Ｂから傾いた向きで照射された場合（斜めに照射された場合）、二次反射体７１での反射光の焦点が、採光口７２上からずれて位置する。そのため、この場合、太陽光５０は採光口７１に入射し難くなり、光ダクト７３で採光され難くなることがある。
【０００８】
このように、従来の採光装置では、一次反射体に対して太陽光が斜めに照射された場合に、採光効率が低下する恐れがあるという問題がある。
【０００９】
そこで、本発明は、前記従来の問題点に鑑みて発明したものであり、その目的とするところは、簡素な構成で、一次反射体に対して太陽光が斜めに照射された場合における採光効率の低下を抑制した採光装置を提供することにある。
【課題を解決するための手段】
【００１０】
前記課題を解決するために、本発明の採光装置は、光を反射集光させる一次反射体と、この一次反射体で反射した前記光を反射集光させる二次反射体と、この二次反射体で反射した前記光を取り込む入光部を一体に有した導光体とを備え、前記二次反射体を前記一次反射体に対向配置し、前記入光部を前記一次反射体から前記二次反射体に向けて突出して設けたものであることを特徴とする。
【００１１】
この採光装置として、前記入光部が、前記二次反射体側に向かう程細くなる勾配を有して、この勾配に沿って傾斜した側面を、前記光を取り込む入光面としたものであることが好ましい。
【００１２】
この採光装置として、前記入光部の突出先端に、前記二次反射体を前記二次反射体の反射面側で支持する支持部を設けたものであることが好ましい。
【００１３】
この採光装置として、前記一次反射体及び二次反射体を環状に形成し、前記導光体を、前記光の照射方向に板面を交差させて配置される導光板で形成し、前記導光板が、環状で前記入光部となる立上り部を外周に沿って有し、前記導光板を板厚方向に複数重ねて配置し、この重ねた状態で隣り合う前記導光板が、互いの前記立上り部の間に隙間を有し、この隙間に前記一次反射体を配置したものであることが好ましい。
【発明の効果】
【００１４】
本発明は、前記構成を備えたことで、一次反射体に太陽光が斜めに照射された場合に、太陽光や二次反射体の反射光等の外部の光を入光部に入射し易くすることができる。これによって、本発明は、太陽を追尾して常に太陽光を一次反射体に正対して照射させる場合に比べて、太陽を追尾するための追尾装置やその設置等に伴う構成の複雑化を抑えて、採光することができる。そのため、本発明は、簡素な構成で、一次反射体に対して太陽光が斜めに照射された場合等における採光効率の低下を抑制した採光装置を提供し易くすることができるという効果を奏する。
【図面の簡単な説明】
【００１５】
【図１】第１例の採光装置の斜視図である。
【図２】同上の採光装置の側断面図である。
【図３】入光を説明するための入光部の側断面図である。
【図４】第２例の採光装置の斜視図である。
【図５】太陽光が斜めに照射された場合における入光を説明するための採光装置の側断面図である。
【図６】第３例の採光装置の側断面図である。
【図７】図６から反射集光部を外した状態の側断面図である。
【図８】第２反射集光部及び導光板の説明図であり、（ａ）は斜視図であり、（ｂ）は側断面図である。
【図９】図６の一部を拡大した側断面図である。
【図１０】図９の部位を立上り部の途中で切断した状態での光学解析結果を示す図であり、（ａ）は太陽光が正対して照射された場合であり、（ｂ）は太陽光が斜めに照射された場合である。
【図１１】第４例の採光装置の側断面図である。
【図１２】従来の採光装置の側断面図であり、（ａ）は太陽光が一方向から照射された場合であり、（ｂ）は太陽光が斜めに照射された場合である。
【発明を実施するための形態】
【００１６】
本発明を、添付図面に示す実施形態に基づいて説明する。
【００１７】
第１実施形態の例（第１例）における採光装置１では、例えば、太陽光５０等の光（以下、太陽光５０とする）を採光しており、この採光した光を太陽電池や照明器具等の外部の光利用手段（図示せず）に供給する。この採光装置１は、図１や図２に示すように、導光体６と、伝送部（不図示）と、反射集光部２とを備える。採光装置１は、太陽光５０を反射集光部２で反射集光して、この光を導光体６で採光する。そして、採光装置１は、導光体６で採光した光を伝送部を介して前記光利用手段に供給する。
【００１８】
反射集光部２は、一次反射体３と二次反射体４とを備えており、一次反射体３及び二次反射体４は例えば、アルミニウム等の金属製や、金属蒸着等で形成した鏡面を有した樹脂製等になっている。
【００１９】
一次反射体３は、曲面形状の円盤で形成してあり、例えば、円盤の軸方向の断面形状が放物線状等になっている。そして、一次反射体３は、円盤の略中央に貫通孔３ｂが設けてあり、貫通孔３ｂは円盤の軸心と略平行する向き（軸方向に沿った向き）で、一次反射体３を貫通する。更に、一次反射体３は、円盤の内面（曲面の径内側を向く面）が光を反射可能な反射面３ａになっており、一次反射体３で反射された光（反射光）は、曲面の径内側の所定の位置に焦点を有する。言い換えると、一次反射体３は、円盤形状になっており、この円盤の一方の板面が、放物面形状に凹んだ反射面３ａになっている。そして、一次反射体３は、太陽光５０を反射面３ａによって反射集光する。
【００２０】
なお、以下の説明において、太陽光５０が反射面３ａで反射された際に、この反射光の焦点が一次反射体３の曲面の焦点と略重なる場合を、太陽光５０が一次反射体３に正対して照射された場合とする。そして、太陽光５０がこの正対して照射された場合の照射方向（図中の照射方向Ｓ１）を基準とし、太陽光５０が照射方向Ｓ１からずれて照射された場合を、斜めに照射された場合とする。更に、照射方向Ｓ１に視た状態を平面視とする。
【００２１】
二次反射体４は、一次反射体３に比べて小寸で曲面形状の円盤状になっており、例えば、円盤の軸方向の断面形状が双曲線状等になっている。そして、二次反射体４は、円盤の内面（曲面の径内側を向く面）が反射面４ａになっている。更に、二次反射体４は、反射面４ａ側を一次反射体３の反射面３ａに対向して配置してあり、互いの円盤の中心及び互いの曲線の焦点が略同軸上に並ぶ。言い換えると、二次反射体４は、円盤状になっており、この円盤の一方の板面が、一次反射体３より小寸で双曲面形状に凹んだ反射面４ａになっている。そして、二次反射体４は、前記曲面の焦点が並ぶ軸上において、一次反射体３に対向配置してある。
【００２２】
また、二次反射体４は一次反射体３の前記曲面の焦点より反射面３ａ側に位置して配置してある。そのため、二次反射体４は、太陽光５０が正対して照射された場合に、一次反射体３で反射集光した太陽光５０（一次反射体３の反射光）の略全てを、反射面４ａによって反射集光する。そして、二次反射体４の曲線の焦点は、前記曲面の焦点が並ぶ軸上において、貫通孔３ｂより二次反射体４側に位置する。
【００２３】
導光体６は、長尺な円柱形状或いは角柱形状になっており、断面形状が、貫通孔３ｂと平面視略同形で、且つ長手方向に略一様になっている。そして、導光体６は、透光材（透光性を有する部材）で形成してある。この透光材としては、無色で透光性を有する部材（所謂透明材）が好適に用いられており、例えば、ポリメタクリル酸メチル樹脂（ＰＭＭＡ）等のアクリル樹脂や、ポリカーボネート（ＰＣ）等が好適に用いられる。なお、導光体６は、透明材に限らず、入光面６ａ（詳細は後述する）から出光面６ｂ（詳細は後述する）に光を導光可能であれば、有色で透光性を有する部材であってもよい。言い換えると、本例において、透光材は、無色で透光性を有する透明材を含む。
【００２４】
導光体６は、貫通孔３ｂに挿通して配置してあり、一方の端部側の部位が、一次反射体３より二次反射体４側に突出して位置する。そして、導光体６は、この突出して位置する部位が、外部の光を内部に取り込むための入光部７になっている。言い換えると、導光体６は、光を取り込む入光部７と、入光部７で取り込んだ光を導光する導光部８とを一体で有する。導光部８は、柱の周面（側面７ｂ）が略光を全反射する鏡面になっており、内部が導光路として機能する。
【００２５】
入光部７は、突出先端面７ａ（前記一方の端部における端面）が、二次反射体４の曲線の焦点より二次反射体４に近い位置、或いは前記曲面の焦点と略重なる位置に配置してある。そして、入光部７は、突出先端面７ａを介して、前記反射光等の外部の光が内部に入射可能になっている。そのため、入光部７は、突出先端面７ａが光を取り込む入光面６ａになっている。言い換えると、採光装置１は、入光部７の入光面６ａが一次反射体３より二次反射体４に近い位置に設けてある。そのため、採光装置１は、一次反射体３の反射光が二次反射体４の反射面４ａに至るまでの距離に比べて、二次反射体４の反射光が入光部７の入光面６ａに至るまでの距離が短くなっている。
【００２６】
また、入光部７（入光面６ａ）で取り込まれた光は、図２や図３に示すように、例えば側面７ｂで全反射する等で、導光体６の柱の残りの一方の端部側（他方の端部側）に導光される。そのため、導光体６は、この残り一方の端部における端面が、内部で導光した光を放出可能な（出射可能な）出光面６ｂになっている。出光面６ｂは伝送部の受光部（不図示）に光を放出して、導光体６で採光した光を伝送部に供給する。なお、本例において、入光部７は、図３に示すように、外部の光が側面７ｂを介して入射した場合、該光を前記他方の端部に導光せずに反対側等の側面７ｂから外部に出射して透過する。
【００２７】
更に、導光体６は、二次反射体４を支持する支持部９を有する。支持部９は、突出先端面７ａの略中央から二次反射体４側に突出して設けてある。そして、支持部９は、入光部７と略同心の柱状に形成してあり、照射方向Ｓ１（柱の軸方向）において略一様の断面形状となっている。支持部９は、例えば、円柱状になっており、円の直径が突出先端面７ａの直径より小寸になっている。
【００２８】
また、支持部９は、突出先端面が二次反射体４の反射面４ａの平面視略中央に当接してあり、該当接部位で二次反射体４を導光体６に支持している。そのため、二次反射体４は導光体６に支持してある。更に、支持部９は、入光部７と同じ部材で入光部７と一体に形成してあり、光を透過可能になっている。そのため、支持部９は二次反射体４の反射光等の入光面６ａへの入光を妨げ難くなっている。なお、支持部９は円柱に限らず角柱形状等であってもよい。
【００２９】
以上述べたように、採光装置１は、太陽光５０を反射集光させる一次反射体３と、一次反射体３の反射光を反射集光させる二次反射体４と、二次反射体４の反射光を伝送部に導光する導光体６とを備え、導光体６が、入光部７と導光部８とを一体で有する。これによって、採光装置１は、太陽光５０が一次反射体３に正対して照射された場合に、この太陽光５０を反射集光部２で反射集光して入光面６ａに入射して、採光することができる。
【００３０】
更に、採光装置１は、二次反射体４を一次反射体３に対向配置してある。そして、採光装置１は、入光部７を一次反射体３から二次反射体４に向けて突出して設けてあり、入光面６ａが貫通孔３ｂに比べて二次反射体４側に位置する。これによって、採光装置１は、太陽光５０が一次反射体３に対して斜めに照射された場合に、二次反射体４の反射光の焦点が二次反射体４の曲面の焦点からずれる幅を低減し易くすることができる。そのため、採光装置１は、前記太陽光５０が斜めに照射された場合に、二次反射体４の反射光を入光面６ａに入射させ易くすることができる。
【００３１】
このように、採光装置１は、太陽を追尾するための追尾装置（不図示）を用いない場合等であっても、太陽光５０が正対して照射された場合及び斜めに照射された場合の両方で、太陽光５０を導光体６で採光することができる。そのため、採光装置１は、追尾装置等を用いる場合やその設置用に屋根等の補強や設置位置の増設等を行った場合等に比べて、構成の複雑化を抑えて、簡素な構成で、採光効率を向上させた構成にし易くすることができる。
【００３２】
そして、採光装置１は、反射集光部２で反射集光して採光するため、一次反射体３に照射される光を採光可能となり、入光面６ａの面積に比べて、採光可能な光の照射領域を広くし易くすることができる。これによって、採光装置１は、例えば、採光面積と略同じ寸法の断面を有した伝送部を、構造物の天井等に設置する際に、この天井等に設ける伝送部挿通用の孔等を小寸に抑え易くすることができる。これによって、採光装置１は、住宅等の構造物への施工を行い易くしたり、施工コストを低減し易くしたりすることができる。
【００３３】
更に、採光装置１は、導光体６に透光材を用いたことで、一次反射体３での反射光が、入光部７の側面７ｂでの吸光や光拡散等によって光量低下を生じることを抑制し易くすることができる。そして、採光装置１は、導光体６に透光材を用いたことで、入光面６ａへの光の入射角（方向性）の制限を軽減し易くすることができる。これによって、採光装置１は、導光路（導光部８）や出光面６ｂの形状等の自由度を増すことができて、導光路の形状等が伝送部の形状等に影響し難くすることができる。
【００３４】
更に、採光装置１は、入光部７の突出先端面７ａの略中央に支持部９を設けたことで、二次反射体４を支持する部材での吸光等による採光効率の低下を抑制し易くすることができる。そして、採光装置１は、光を透過可能な支持部９としたことで、支持部９を透光不能な部材で形成した場合に比べて、支持部９での吸光等による採光効率の低下を抑制し易くすることができる。また、採光装置１は、支持部９が入光面６ａ及び反射面４ａの略中央に位置するため、施工時等に、入光部７（入光面６ａ）に対して二次反射体４を位置決めし易くすることができて、施工や組立等を行い易くすることができる。
【００３５】
次に、第２実施形態の例として、第２例を示す。なお、前述の第１例と重複する構成は、同じ符号を付して、重複する説明は省略して、本例（第２例）の特徴等を説明する。
【００３６】
本例では、導光体６が透光材で形成してある。そして、入光部７が、図４に示すように、二次反射体４に向かう程、細くなる所謂錘形状となっており、例えば、断面円形の錐状（円錐形状）になっている。言い換えると、入光部７は、二次反射体４に向かう程細くなる勾配を有しており、側面７ｂ（錘の周面）がこの勾配に沿って傾斜している。そして、入光部７は、この傾斜した側面７ｂが入光面６ａになっている。なお、入光部７は、断面矩形の錘形状（角錐形状）であってもよい。
【００３７】
これによって、採光装置１は、太陽光５０が正対して照射された場合に、入光部７の側面７ｂや突出先端面７ａから反射光を取り込むことができる。そして、採光装置１は、図５に示すように、太陽光５０が斜めに照射された場合に、例えば太陽光５０の一部が一次反射体３に照射される前に入光部７の側面７ｂに照射されると、この光を側面７ｂから取り込むことができる。
【００３８】
また、入光部７は突出先端面７ａに、支持部９を一体に有する。支持部９は、突出先端面７ａから二次反射体４側に突出して設けてある。そして、支持部９は、突出方向において略一様の断面形状の柱状に形成してあり、支持部９は柱の軸心が入光部７と略同心で、且つ突出先端面７ａの平面視略中央に位置する。支持部９は、例えば円柱状になっており、この断面形状（円）の直径は、突出先端面７ａの直径より小寸になっている。更に、支持部９は透光性を有しており、光を透過可能になっている。
【００３９】
このように、採光装置１は、前記追尾装置（不図示）を用いない場合であっても、太陽光５０が正対して照射された場合及び斜めに照射された場合の両方で、太陽光５０を導光体６で採光することができる。そのため、採光装置１は、前記追尾装置等を用いる場合やその設置用に屋根等の補強や設置位置の増設等を行った場合等に比べて、構成の複雑化を抑えて、簡素な構成で、採光効率を向上させた構成にし易くすることができる。そして、採光装置１は、光を透過可能な支持部９を突出先端面７ａの略中央に小寸で設けたことで、支持部９による採光効率の低下を抑制し易くすることができる。
【００４０】
更に、採光装置１は、導光体６に透光材を用いたことで、入光部７の略全体で採光したり、入光面６ａへの光の入射角（方向性）の制限を軽減したりし易くすることができる。これによって、採光装置１は、導光路（導光部８）や出光面６ｂの形状等の自由度を増すことができて、導光路の形状等が伝送部の形状等に影響し難くすることができる。
【００４１】
次に、第３実施形態の例として、第３例を示す。なお、前述の第１例や第２例と重複する構成は、同じ符号を付して、重複する説明は省略して、本例（第３例）の特徴等を説明する。
【００４２】
本例では、図６に示すように、導光体６として、第２例と略同様の構成を有する柱状の導光体６と、板状の導光体６とを備えており、導光体６はいずれも透光材で形成してある。そして、板状の導光体６は複数設けてある。以下、柱状の導光体６を導光柱１５とし、板状の導光体６を導光板２４とする。導光柱１５用の反射集光部２を第１反射集光部１１とし、導光板２４用の反射集光部２を第２反射集光部２０とする。
【００４３】
第１反射集光部１１は、前述の第１例や第２例と略同様に、一次反射体３（第１一次反射体１２）及び二次反射体４（第１二次反射体１３）を有する。第１一次反射体１２は、円盤形状になっており、この円盤の一方の板面が、放物面形状に凹んだ反射面３ａ（反射面１２ａ）になっている。そして、第１一次反射体１２は、太陽光５０を反射面１２ａによって反射集光する。更に、第１一次反射体１２は、反射面１２ａの円環の径方向における平面視略中央に、導光柱１５（導光体６）挿通用の貫通孔３ｂが設けてある。貫通孔３ｂは、照射方向Ｓ１に沿って第１一次反射体１２を貫通しており、第１一次反射体１２と略同心の円環状に形成してある。第１二次反射体１３は、円盤状になっており、この円盤の一方の板面が、第１一次反射体１２より小寸で双曲面形状に凹んだ反射面４ａ（反射面１３ａ）になっている。そして、反射面１２ａの曲面の焦点及び反射面１３ａの曲面の焦点は、導光柱１５の軸心と略同軸上に並ぶ。更に、第１一次反射体１２及び第１二次反射体１３は、互いに前記曲面の焦点の並ぶ軸上に沿って対向配置してある。
【００４４】
導光柱１５は、前述の第２例と略同様に、第１一次反射体１２の貫通孔３ｂに挿通してあり、入光部７（入光部１６）と導光部８（導光部１７）とを一体で有する。入光部１６は、第１二次反射体１３に向かう程細くなる円錐形状になっており、側面７ｂ（円錐の周面）が入光面６ａになっている。そして、導光部１７は、入光部１６に至る側とは反対の端部に、出光面６ｂを有する。以下、太陽光５０が導光柱１５の軸心に沿って照射された場合を、太陽光５０が正対して照射された場合とする。そして、太陽光５０がこの正対して照射された場合の照射方向（図中の照射方向Ｓ１）を基準とし、太陽光５０が照射方向Ｓ１からずれて照射された場合を、斜めに照射された場合とする。
【００４５】
入光部１６は突出先端面７ａに支持部１８を一体で有する。支持部１８は、突出先端面７ａから第１二次反射体１３側に突出して設けてある。そして、支持部１８は、この突出方向において略一様の断面形状の柱状に形成してある。支持部１８は、例えば円柱状になっており、この断面形状（円）の直径は、突出先端面７ａの直径と略同寸になっている。言い換えると、支持部１８は、突出先端面７ａの略全体から第１二次反射体１３側に向けて突出して設けてある。更に、支持部１８は、光を透過可能になっている。
【００４６】
そのため、支持部１８に入射した光は、支持部１８の側面に至った場合に、外部に透過して略導光されず、突出先端面７ａとなる位置に至った場合に、導光部１７を介して出光面６ｂに導光される。すなわち、導光柱１５は、支持部１８との境界位置である入光部１６の突出先端面７ａとなる位置が、入光面６ａとして機能可能になっている。そのため、導光柱１５は、例えば、支持部１８を突出先端面７ａに設けない場合や、断面形状を突出先端面７ａより小寸で支持部１８を設けた場合等に、入光部１６は側面７ｂに加えて突出先端面７ａが入光面６ａとなる。
【００４７】
第２反射集光部２０は、図７や図９に示すように、第２一次反射体２１及び第２二次反射体２２が、互いに略同心で配置される円環状に形成してある。第２一次反射体２１及び第２二次反射体２２は、照射方向Ｓ１において対向配置してある。
【００４８】
第２一次反射体２１は、前記円環の軸方向における一方の端面の軸方向での断面形状が、例えば放物線状等に凹んだ曲面になっており、この端面が反射面２１ａになっている。そして、第２一次反射体２１の導光板２４（導光体６）挿通用の貫通孔２１ｂは、第２一次反射体２１と略同心の円環状となっており、第２一次反射体２１の円環の内径と円環の外径との中間に設けてある。
【００４９】
第２二次反射体２２は、反射面２１ａに対向する端面の軸方向での断面形状が、例えば、双曲線状等に凹んだ曲面になっており、この端面が反射面２２ａになっている。そして、第２二次反射体２２は円環の内径が第２一次反射体２１の円環の内径より大寸で、第２二次反射体２２の円環の外径が第２一次反射体２１の円環の外径より小寸になっている。
【００５０】
導光板２４は、図８や図９に示すように、第２反射集光部２０等と略同心で配置される円盤状になっており、照射方向Ｓ１に対して板面が交差して位置する。そして、導光板２４は両板面が、光を略全反射する鏡面になっており、内部が導光路になっている。導光板２４は、円盤の略中央に、貫通孔２６が設けてあり、この貫通孔２６の縁部に、導光板２４内の光を出射可能な出光面６ｂが設けてある。以下、導光板２４の両板面のうち、照射方向Ｓ１に対向する板面を表面とし、反対側を裏面とする。
【００５１】
更に、導光板２４は外周端が、照射方向Ｓ１に沿って表面側に立ち上げた立上り部２５になっている。立上り部２５は、例えば、板面に略直交する向きで且つ照射方向Ｓ１に対向する向きで設けてある。立上り部２５は、外周端の略全周に亘って形成してあり、第２反射集光部２０等と略同心の円環状になっている。そして、立上り部２５は貫通孔２１ｂに挿通してあり、立上り部２５の第２一次反射体２１から反射面２１ａの曲面の焦点側に突出した部位が入光部２９となっている。入光部２９（立上り部２５の前記突出した部位）は、円環の軸方向（照射方向Ｓ１）での断面形状が、第２二次反射体２２に向かう程細くなる勾配を有する。そして、入光部２９は、この勾配に沿った側面７ｂ（円環の径内側を向く面２９ａ及び径外側を向く面２９ｂ）が、入光面６ａになっている。
【００５２】
このように、導光板２４は、入光部２９と導光部３０とを有する。そして、導光部３０は、平面視立上り部２５より内側に位置する板状の部位と、立上り部２５における前記板状の部位と入光部２９との間の部位と、で形成される。そして、導光部３０は、出光面６ｂを除く外面が鏡面になっている。なお、導光板２４は、傾斜部２７（詳細は後述する）を有する場合、傾斜部２７も導光部３０となる。
【００５３】
また、入光部２９は突出先端面７ａに支持部３１を一体で有する。支持部３１は、光を透過可能になっている。支持部３１は、照射方向Ｓ１に沿って、突出先端面７ａから第２二次反射体２２側に突出して設けてある。そして、支持部３１は、照射方向Ｓ１において略一様の断面形状の円環状に形成してある。更に、支持部３１は円環の軸方向での断面形状が、突出先端面７ａの前記軸方向での断面形状と略同形になっている。言い換えると、支持部３１は、突出先端面７ａの略全体に亘って設けてある。
【００５４】
そのため、支持部３１に入射した光は、支持部３１の側面に至った場合に、外部に透過して略導光されず、突出先端面７ａとなる位置に至った場合に、導光板２４の出光面６ｂ（詳細は後述する）に導光される。すなわち、導光板２４は、支持部３１との境界位置である入光部２９の突出先端面７ａとなる部位が、入光面６ａとして機能可能になっている。そのため、導光板２４は、例えば、支持部３１を突出先端面７ａに設けない場合や、断面形状を突出先端面７ａより小寸で支持部３１を設けた場合等に、入光部２９の側面７ｂに加えて突出先端面７ａが入光面６ａとなる。
【００５５】
複数の導光板２４は、図７や図８に示すように、板面を略平行に並べて、板厚方向に重ねて配置してある。複数の導光板２４は、外周の径寸法が夫々異なっており、各立上り部２５が平面視ずれて位置する。具体的に説明すると、例えば、所定の導光板２４を基準とした場合、基準の導光板２４の表面側には、この導光板２４より外周の径寸法が小さい導光板２４が配置してある。そして、基準の導光板２４の裏面側には、この導光板２４より外周の径寸法が大きい導光体６が配置してある。なお、外周の径寸法が最も小さい導光板２４は、内周の貫通孔２６に導光柱１５が略同心で配置してある。言い換えると、導光板２４の平面視略中央に導光柱１５が配置してある。
【００５６】
更に、外周の径寸法が最も大きい導光板２４は、内周の貫通孔２６の縁部（内周端面）が出光面６ｂになっている。そして、他の導光板２４は、内周の貫通孔２６の縁部が裏面側に傾斜した傾斜部２７になっている。傾斜部２７は貫通孔２６と略同心の円環状に形成してあり、導光板２４毎に傾斜する角度が異なっている。そして、傾斜部２７は、導光板２４毎に異なる角度で傾いた内周端面が、出光面６ｂになっている。
【００５７】
更に、各出光面６ｂは、照射方向Ｓ１に対して凹んだ半球形状に並んで配置してあり、これら複数の出光面６ｂからの光は一つの伝送部４０の同じ受光部（受光端面４０ａ）に出射される。言い換えると、一部の導光板２４は裏面側に突出して出光面６ｂを有しており、複数の出光面６ｂは受光端面４０ａに対して立体的に配置してある。
【００５８】
また、複数の導光板２４は、この重ねた状態で円環の径方向に隣り合う立上り部２５の間に隙間を有する。そして、複数の立上り部２５は、板面からの立ち上がる角度（立上り角度）が略同じになっている。
【００５９】
複数の立上り部２５は、入光部２９の突出先端面７ａが、照射方向Ｓ１において略同じ高さに位置する。そして、複数の立上り部２５は、導光部３０と入光部２９との境界位置が、照射方向Ｓ１において略同じ高さに位置する。言い換えると、複数の立上り部２５は、互いの入光部２９の高さ寸法が略同じであり、互いの入光部２９が略同じ高さに並んで位置する。
【００６０】
更に、複数の立上り部２５は、支持部３１の突出先端（反射面２２ａとの当接位置）が、照射方向Ｓ１において略同じ高さに位置する。言い換えると、複数の立上り部２５は、互いの支持部３１の高さ寸法が略同じであり、互いの支持部３１が略同じ高さに並んで位置する。そして、各支持部３１は略同じ高さで第２二次反射体２２を支持しており、第２二次反射体２２は略同じ高さに並んで位置する。
【００６１】
また、隣り合う立上り部２５の間の隙間には、互いの立上り部２５の第２一次反射体２１の一部が配置される。具体的には、隣り合う立上り部２５（入光部２９）に夫々取り付けた第２一次反射体２１のうち、径外側に位置する立上り部２５（一方の入光部２９）用の第２一次反射体２１は、貫通孔２１ｂより径内側の部位が位置する。そして、径内側に位置する立上り部２５（残り一方の入光部２９）用の第２一次反射体２１は、貫通孔２１ｂより径外側の部位が位置する。そして、この隙間に位置する二つの第２一次反射体２１の前記部位は、円環の径方向に隣接する。
【００６２】
更に、第２一次反射体２１は夫々、貫通孔２１ｂが、照射方向Ｓ１において略同じ高さに位置する。そして、第２一次反射体２１は、円環の径外側の端部及び径内側の端部が、照射方向Ｓ１において略同じ高さに位置しており、複数の第２一次反射体２１は、これら端部が互いに照射方向Ｓ１において略同じ高さに位置する。
【００６３】
また、導光柱１５と立上り部２５が隣り合う導光板２４の場合では、貫通孔２１ｂより径外側の部位が、導光柱１５の第１一次反射体１２の外周端に隣接して位置する。そして、第２一次反射体２１と第１一次反射体１２とは照射方向Ｓ１において略同じ高さに位置する。なお、一次反射体３は照射方向Ｓ１に厚さを有しており、前記隣り合う導光板２４の立上り部２５や導光柱１５を円環の径方向において補強している。
【００６４】
これら構成によって、採光装置１は、図１０（ａ）に示すように、太陽光５０が正対して照射された場合に、入光部２９の側面７ｂや突出先端面７ａ等から反射光を取り込むことができる。そして、採光装置１は、図１０（ｂ）に示すように、太陽光５０が斜めに照射された場合のうち、第２一次反射体２１の反射光が第２二次反射体２２に略照射されない際等に、太陽光５０や第２一次反射体２１の反射光の一部を、側面７ｂから取り込むことができる。更に、採光装置１は、太陽光５０が斜めに照射された場合のうち、第２一次反射体２１の反射光が第２二次反射体２２に照射された際等に、第２二次反射体２２の反射光を、側面７ｂや突出先端面７ａ等から取り込むことができる。なお、図１０では、導光板２４を例示しているが、導光柱１５でも略同様に採光可能になっている。
【００６５】
このように、採光装置１は、前記追尾装置を用いない場合であっても、太陽光５０が正対して照射された場合及び斜めに照射された場合の両方で、太陽光５０を導光体６で採光することができる。そのため、採光装置１は、追尾装置（不図示）等を用いる場合やその設置用に屋根等の補強や設置位置の増設等を行った場合等に比べて、構成の複雑化を抑えて、簡素な構成で、採光効率を向上させた構成にし易くすることができる。
【００６６】
そして、採光装置１は、導光体６として複数の導光板２４を用いたことで、導光板２４の入光部２９で夫々採光することができて、採光効率を向上し易くすることができる。更に、採光装置１は、導光板２４の平面視略中心に導光柱１５を配置したことで、導光板２４に生じるデットスペースである導光板２４の中央においても、採光することができる。言い換えると、採光装置１は、導光板２４と導光柱１５とを備えることで、導光板２４を用いたが故のデットスペースを、採光に有効利用することができる。これによって、採光装置１は、簡素な構成で採光面積を増加させた構成にし易くすることができる。
【００６７】
そして、採光装置１は、導光体６に透光材を用いたことで、入光部７の略全体で採光することができる。更に、採光装置１は、導光体６に透光材を用いたことで、入光面６ａへの光の入射角（方向性）の制限を軽減し易くすることができる。これによって、採光装置１は、導光路（導光部８）や出光面６ｂの形状等の自由度を増すことができて、導光路の形状等が伝送部の形状等に影響し難くすることができる。
【００６８】
更に、採光装置１は、導光体６の平面視における間の隙間に一次反射体３を配置したことで、この隙間に照射される太陽光５０を入光部２９に入射し易くすることができて、この隙間を有することでの採光効率のロスを軽減し易くすることができる。
【００６９】
また、採光装置１は、前記構成によって、採光面積となる入光面６ａの面積を、入光部７や導光体６の導光部８や出光面６ｂ等の断面積に比べて、大きい寸法にし易くすることができる。言い換えると、採光装置１は、導光体６の断面形状に比べて、採光面積を広くし易くすることができて、例えば導光体６を小型化して採光効率を向上した構成にし易くすることができる。
【００７０】
更に、採光装置１は、受光部（受光端面４０ａ）に対して複数の出光面６ｂを立体的に配置することで、複数の出光面６ｂからの光を一箇所に集めて、一つの伝送部４０に放出する構成にすることができる。これによって、採光装置１は、採光面積や出光面６ｂの総面積に比べて、受光部の受光面積（受光端面４０ａの平面積）や伝送部４０の外寸（断面積）等を小さく抑えた構成にし易くすることができる。そのため、採光装置１は、伝送部４０の大型化を抑制して、採光面積を増加させた構成にし易くすることができる。そして、採光装置１は、伝送部４０の大型化を抑制したことで、前記伝送部４０挿通用の孔等を小寸に抑え易くすることができて、住宅等の構造物への施工を行い易くしたり、施工コストを低減し易くしたりすることができる。
【００７１】
次に、第４実施形態の例として、第４例を示す。なお、前述の第３例と重複する構成は、同じ符号を付して、重複する説明は省略して、本例（第４例）の特徴等を説明する。
【００７２】
本例では、図１１に示すように、立上り部２５の板面に対する立ち上がり角度が導光板２４毎に夫々異なる。そして、立上り部２５は、照射方向Ｓ１に向かって照射方向Ｓ１と交差する向きで突出しており、円環の径外方向側に位置する立上り部２５程、照射方向Ｓ１から径外方向側に傾けて設けてある。言い換えると、複数の導光板２４は、平面視円環の径外方向側に位置する立上り部２５（入光部２９）程、照射方向Ｓ１から裏面側に傾斜して設けてある。
【００７３】
第２反射集光部２０は夫々、対応する立上り部２５の傾きに沿った仮想直線上に、反射面２１ａ及び反射面２２ａの両焦点が位置する。そして、第２反射集光部２０は夫々この仮想直線上に、第２一次反射体２１と第２二次反射体２２とを対向配置してある。
【００７４】
これによって、採光装置１は、例えば太陽光５０が照射方向Ｓ１からずれた方向から照射された場合等に、いずれかの入光部７がこのずれた方向と略平行に並ぶ等で、最も採光し易い反射集光部２での反射光を入光部７に入射し易くすることができる。言い換えると、採光装置１は、反射集光部２の反射光が入光部７に入射可能となる太陽光５０の照射方向（太陽光５０の一次反射体３への入射角）が、入光部７毎に異なる。そのため、採光装置１は、反射集光部２での反射光を採光可能な太陽光５０の照射方向（入射角の範囲）の制限を軽減し易くすることができて、斜めに照射された場合等における採光効率の低下を抑制し易くすることができる。
【００７５】
なお、本発明は、前述の各実施形態の構成のみに限定されるものではなく、本発明の意図する範囲内であれば、適宜の設計変更を行うことや、各例の構成を組み合わせることが可能である。例えば、導光板２４は、円盤状に限らず、矩形の板状であってもよく、この場合、立上り部２５や反射集光部２は、矩形の環状（角枠形状）となる。
【符号の説明】
【００７６】
１  採光装置
２  反射集光部
３  一次反射体
４  二次反射体
４ａ  反射面
６  導光体
６ａ  入光面
７  入光部
７ａ  突出先端面
２４  導光板
２５  立上り部
２９  入光部
Ｓ１  照射方向
【図１】
2013258058.tif 000003
【図２】
2013258058.tif 000004
【図３】
2013258058.tif 000005
【図４】
2013258058.tif 000006
【図５】
2013258058.tif 000007
【図６】
2013258058.tif 000008
【図７】
2013258058.tif 000009
【図８】
2013258058.tif 000010
【図９】
2013258058.tif 000011
【図１０】
2013258058.tif 000012
【図１１】
2013258058.tif 000013
【図１２】
2013258058.tif 000014